(57)【要約】【課題】状況に応じて網枠と柄との間の角度を調整できる使用しやすい玉網を提供する。【解決手段】この玉網の網枠部１と柄部とを連結する連結部３は、柄部２を構成する筒状体５に連結され柄部２の軸方向に延びる本体部１０と、本体部１０の軸方向に直交する方向に配置される回動軸１１と、網枠部１が連結されている部分であって回動軸１１を介して本体部１０に回動自在に連結されている首部１２とを有する。本体部１０上に配置されているナット２３を軸方向に移動させて、ナット２３の首部１２に対する当接を解除する。そして、首部１２を回動させて、本体部１０に対する首部１１の角度を調整する。少なくとも２カ所以上の異なる姿勢で前記首部の前記本体部に対する回動を規制する規制手段とを有している、玉網。【選択図】　　　図２
2004033060.tif 000002
【特許請求の範囲】
【請求項１】
魚釣りに用いる玉網であって、
振出形式に連結された複数の先細り筒状体からなる柄部と、
魚を取り込むための網が配置される網枠部と、
前記柄部と前記網枠部とを連結する連結部とを備え、
前記連結部は、前記柄部を構成する筒状体のうち最も先端側に位置する先端筒状体に連結され前記柄部の軸方向に延びる本体部と、前記本体部の軸方向に直交する方向に配置される回動軸と、前記網枠部が連結されている部分であって前記回動軸を介して前記本体部に回動自在に連結されている首部と、少なくとも２カ所以上の異なる姿勢で前記首部の前記本体部に対する回動を規制する規制手段とを有している、玉網。
【請求項２】
前記連結部は、前記本体部上に配置される雄ねじ部と、前記雄ねじ部に螺合し前記本体部上を軸方向に移動自在なナットとをさらに有し、
前記首部は前記ナットが当接可能な２カ所以上の当接面を有しており、
前記当接面及び前記ナットが前記規制手段である、請求項１に記載の玉網。
【発明の詳細な説明】
【０００１】
【発明の属する技術分野】
本発明は魚釣りに用いる玉網、特に、その柄に関する。
【０００２】
【従来の技術】
魚釣りを行う際に、釣竿の仕掛けに係った魚を引き上げるために玉網が用いられる。玉網は、環状の網枠部と、網枠部に固定される袋状の網と、網枠部に連結された柄とを有している。この柄は、複数の先細りテーパの施された筒状体を順次振出形式に連結してなる柄部を有するものであり、順次手元側の筒状体内に先端側の筒状体が収納可能となっている。
【０００３】
この柄部を構成する筒状体は、例えば、最も先端側に位置する第１筒状体とその手元側に隣接する第２筒状体とに関して説明すれば、具体的には以下のような構造となっている。第１筒状体は所定の先細りテーパの施された筒状体であり、手元側端部外周面が他の部分に比べて特に大径化している。一方の第２筒状体も所定の先細りテーパの施された筒状体であり、先端側端部の内周面が他の部分に比べて特に小径化している。そして、第１筒状体は第２筒状体の手元側からその内部に軸方向に移動自在に挿入され、第１筒状体が先端側に至った際に、上述の第１筒状体の大径部と第２筒状体の小径部とが嵌着して相互に固定される。また、その他の筒状体においても同様である。
【０００４】
このような玉網では、収納時は柄部の筒状体を順次手元側に収納したコンパクトな状態としておく。そして、釣竿の仕掛けにかかった魚を釣り上げる際に、網側を水面に向かって勢いよく差し出し、順次の筒状体を引き出して長い一本の柄部とし、最も先端側の筒状体の先端に連結されている網枠の網の中に魚をすくい入れる。
【０００５】
【発明が解決しようとする課題】
上述のようにして玉網を使用する釣り場は、例えば、岩場，防波堤の上など様々である。さらに、その釣り場の水面からの高さも様々である。このため、玉網を水面に差し出して魚をすくい入れるために良好な網と柄との間の角度も様々であり、釣りの環境に合わせて、柄を差し出す角度と魚をすくい入れる網枠の角度とを調整する必要が生じる場合がある。
【０００６】
しかし、従来の玉網では、玉網の柄とその先端に連結された網枠とは同一平面上に固定されており、両者の間の角度が可変ではない。
本発明の課題は、状況に応じて網枠と柄との間の角度を調整できる使用しやすい玉網を提供することにある。
【０００７】
【課題を解決するための手段】
発明１に係る玉網は、魚釣りに用いる玉網であって、振出形式に連結された複数の先細り筒状体からなる柄部と、魚を取り込むための網が配置される網枠部と、柄部と網枠部とを連結する連結部とを備えている。そして、連結部は、柄部を構成する筒状体のうち最も先端側に位置する先端筒状体に連結され柄部の軸方向に延びる本体部と、本体部の軸方向に直交する方向に配置される回動軸と、網枠部が連結されている部分であって回動軸を介して本体部に回動自在に連結されている首部と、少なくとも２カ所以上の異なる姿勢で首部の本体部に対する回動を規制する規制手段とを有している。
【０００８】
この玉網では、先端側の筒状体から順次手元側に位置する各筒状体内に振出形式に各筒状体を収納してコンパクトな状態となる。このように収納した状態で、釣人は玉網を運搬し若しくは使用時に備えておく。そして、釣竿の先端に連結してある仕掛けに魚がかかり、これを水面付近まで引き上げた際に、勢いよく柄部を先端側に差し出して各筒状体を引き延ばし、一本の長い柄部として先端の網枠部に配置されている網に魚を取り込む。
【０００９】
そして、この玉網では、このように網へ魚を取り込む際に、釣人は連結部の本体部と首部と調整することで、網枠部と柄部との角度を変更し、状況に応じて玉網を用い得る。
具体的には、連結部の首部を回動軸を中心にして本体部に対して回動させた上で、所定の箇所で規制手段によりその回動を規制する。このようにして、釣人は網枠部と柄部との角度を変更して魚を網枠部に配置される網の中にすくい入れることになる。
【００１０】
発明２に係る玉網は、発明１の玉網であって、連結部は、本体部上に配置される雄ねじ部と、雄ねじ部に螺合し本体部上を軸方向に移動自在なナットとをさらに有している。また、首部はナットが当接可能な２カ所以上の当接面を有している。そして、この当接面及びナットが規制手段である。
この玉網で、連結部の本体部と首部との角度を変更する手順は以下の通りである。まず、ナットを回転させて雄ねじ部上を軸方向手元側に移動させて、首部の回動を自由にする。そして、首部を回動させて任意の当接面をナット部に対峙させる。この状態で、ナットを先とは逆に回転させて雄ねじ部上を軸方向先端側に移動させて、当接面にナットを当接させて首部の回動を規制する。
【００１１】
【発明の実施の形態】
本発明の一実施形態について図面を参照しつつ説明する。
本発明の一実施形態を採用した玉網は、図１に示すように、環状の枠であり網が取り付けられている網枠部１と、振出形式に連結された複数の先細り筒状体からなる柄部２と、柄部２を構成する筒状体の中で最も先端側に位置する先端筒状体１１の先端側端部に脱着自在に連結され、網枠部１とも連結されている連結部３とを備えている。
【００１２】
網枠部１は、ステンレス合金やチタン合金等からなる金属製部材を環状に折り曲げて形成した枠部分を、ナイロン繊維等からなる糸を網目状の編み込んでなる略円筒型の網の開口縁に通して、網を枠に取り付けたものである。この網枠部１の一部が連結部３に連結されている。図２に示すように、網枠部１をその一部を連結部３に貫通させて脱着不能に装着してもよいし、網枠部１の一部に雄ねじ等を形成して、脱着自在に連結部３に網枠部１を装着してもよい。
【００１３】
柄部２は、例えば、４つの筒状体（第１筒状体５〜第４筒状体８）を順次連結してなる部分である。柄部２の最も手元側に位置する太径の第４筒状体８の手元側端部には底栓９が脱着自在に装着されている。各筒状体５〜８は、それぞれ炭素繊維等の強化繊維に合成樹脂を含浸させた繊維強化樹脂を芯材に巻回して焼成して製造する先細り筒状部材である。これらは、いわゆる振出形式で連結されており、順次手元側の筒状体内に収納可能である。また、内部に収納される先端側に位置する筒状体はそれぞれ先端側に飛び出さないような抜け止め手段が設けられる（図示せず）。
【００１４】
この連結部３は、図２及び図３に示すように、柄部２を構成する最も先端側の筒状体である第１筒状体５に連結され柄部２の軸方向に延びる本体部１０と、本体部１０の軸方向に直交する方向に配置される回動軸１１と、回動軸１１を介して本体部１０に回動自在に連結されている首部１２とを有している。
本体部１０は、手元側の端部外周面にねじ溝が形成されている棒状部材であり、このねじ溝が第１筒状体５の先端側端部に螺合することで、本体部１０が第１筒状体５の先端側に脱着自在に連結されている。また、この本体部１０には、手元側から口栓２１と雄ねじ部材２２とがその周面に配置されている。口栓２１は、その外径を第４筒状体８の先端側内径に凡そ合致させたゴム栓であり、手元側ほど小径化するようなテーパが施されている。柄部２の各筒状体を全て収納した際に、この口栓２１に第４筒状体８を嵌着させて栓をする。一方、雄ねじ部材２２は、この口栓２１の先端側には位置される。そして、この雄ねじ部材２２にナット２３が螺合している。さらに、この本体部１０の先端側端部には軸方向に直交する方向に貫通孔が形成されており、ここに回動軸１１が配置される。
【００１５】
首部１２は、上述の回動軸１１に回動自在に連結されており、手元側には第１当接面１２ａと第２当接面１２ｂとを有している。第１当接面１２ａと第２当接面１２ｂとは９０〜１５０度程度に相互に偏角した平面である。回動軸１１を中心に首部１２が回動することによりそれぞれが手元側に位置して、上述のナット２３に当接可能である。
【００１６】
このように構成される玉網では、柄部２を構成する筒状体を先端側の第１筒状体５から順次手元側の筒状体内に振出形式に収納してコンパクトな状態となる。このように収納した状態で、口栓２１を第４筒状体８の先端側開口にはめ込むことで、不用意に収納した筒状体が先端側に飛び出すのを抑えておくこともできる。そして、釣竿の先端に連結してある仕掛けに魚がかかり、これを水面付近まで引き上げた際に、口栓２１を第４筒状体８から外して、勢いよく柄部２を先端側に差し出して各筒状体を引き延ばし、一本の長い柄部２として先端の網枠部１に配置されている網に魚を取り込む。
【００１７】
そして、この玉網では、このように網へ魚を取り込む際に、釣人は連結部３の本体部１０と首部１２と調整することで、網枠部１と柄部２との角度を変更し、状況に応じて玉網を用い得る。即ち、本体部１０と首部１２との角度を変更する際には、ナット２３を手元側に移動させて首部１２をフリーにし、首部１２を回動させて、第１当接面１２ａ又は第２当接面１２ｂの何れかを手元側に向ける（図３参照）。首部１２の回動を規制する際には、ナット２３を再び先端側に移動させて第１当接面１２ａ又は第２当接面１２ｂナット２３を当接させ、首部１２の回動を抑えて固定する。
【００１８】
このようにして、釣人は網枠部１と柄部２との角度を変更して、図４に示すように、状況に応じて、魚を網枠部２に配置される網の中にすくい入れることができる。
［他の実施形態］
（ａ）柄部と網枠部とを結ぶ連結部としては、以下のような構造を採用することでもできる。図５に示すように、この連結部においても、上記実施形態と同様に、柄部を構成する筒状体に連結され柄部の軸方向に延びる本体部５０と、本体部５０の軸方向に直交する方向に配置される回動軸５１と、回動軸５１を介して本体部５０に回動自在に連結されている首部５２とを有している。
【００１９】
首部５２の手元側部分は左右両方向において手元側に延びており、この左右の延部で本体部５０の先端側端部を挟み込むように位置する。そして、この左右の延部から回動軸５１が本体部５０を貫通している。そして、この回動軸５１はボルト部とナット部とからなり、ボルト部をナット部に締め込むことで首部５２の左右の延部で本体部５０の先端側部分を挟み込み、首部５２の本体部５０に対する回動が規制される。
【００２０】
このような連結部を有する玉網も、上記実施形態と同様に状況に応じて柄部と網枠部との角度を調整して用いることができる。また、このような構成を採用することで、網枠部と柄部との間の角度を任意に調整できる。
【００２１】
【発明の効果】
本発明に係る玉網は、釣り場の状況に応じて、玉網の柄部と網枠との角度を変化させて用いることができ、操作性が向上する。
【図面の簡単な説明】
【図１】本発明の一実施形態を採用した玉網の全体図。
【図２】図１の玉網の連結部の断面図。
【図３】図１の玉網の連結部の断面図。
【図４】図１の玉網の使用態様の一例を示した図。
【図５】本発明の別の実施形態を採用した玉網の連結部を示した図。
【符号の説明】
１　網枠部
２　柄部
３　連結部
５〜８　第１〜第４筒状体
１０　本体部
１１　回動軸
１２　首部
２１　口栓
２３　ナット
【図１】
2004033060.tif 000003
【図２】
2004033060.tif 000004
【図３】
2004033060.tif 000005
【図４】
2004033060.tif 000006
【図５】
2004033060.tif 000007